(57)【要約】【課題】通常のフォトアルバムと同様の利便性を確保できる電子フォトアルバムを提供する。【解決手段】Ｓ２１では、メディアスロット２２に挿入された記憶媒体４０に記憶された画像を読み込んでＲＡＭ８に記憶する。Ｓ２２では、表示コントローラ３２の制御により既に記憶装置３６に記憶されている画像を縮小したサムネイル画像を対応する表示順序に従って第１表示装置１１に表示させるとともに、ＲＡＭ８に記憶した第２元画像を縮小したサムネイル画像を第２表示装置１２に表示させる。従って、記憶媒体４０からコピーする画像と既にアルバム１００に記憶されている画像とを対比できる。【選択図】  図１
2006018020.tif 000002
【特許請求の範囲】
【請求項１】
画像を表示する電子フォトアルバムであって、
略板状の第１アルバム部と、
画像を表示する第２表示装置を配置した略板状の第２アルバム部と、
前記第１アルバム部の一端と前記第２アルバム部の一端とを回動自在に連結し見開き型に配列させる連結部と、
前記第１アルバム部及び第２アルバム部が開いたこと又は閉じたことを検出する開閉検出部と、
前記第１アルバム部の他端に設けられ物体の接触を検出する第１接触センサと、
前記第２アルバム部の他端に設けられ物体の接触を検出する第２接触センサと、
元画像と前記元画像を縮小したサムネイル画像と一意的な表示順序とを対応づけて記憶する記憶部と、
前記サムネイル画像を前記第２表示装置に表示させる表示制御部と、
を備え、
前記表示制御部は前記第１接触センサ又は前記第２接触センサの接触検出と前記閉じたことの検出後に前記開いたことが検出されたことに応じ、現在第２表示装置に表示されているサムネイル画像より前の表示順序の付与されたサムネイル画像又は後の表示順序の付与されたサムネイル画像を前記第２表示装置に表示させる電子フォトアルバム。
【請求項２】
前記第２表示装置に表示されたサムネイル画像の選択により対応する元画像の選択を受け付ける画像選択部をさらに備える請求項１に記載の電子フォトアルバム。
【請求項３】
前記第１アルバム部には画像を表示する第１表示装置が配置されており、
前記表示制御部は前記選択された元画像を前記第１表示装置に表示させる請求項２に記載の電子フォトアルバム。
【請求項４】
前記選択された元画像のタイトル文字の入力を受け付ける文字入力部をさらに備え、
前記表示制御部は前記選択された元画像又は前記選択されたサムネイル画像を前記第１表示部に表示させ、前記タイトル文字の入力を促す画面を前記第２表示部に表示させ、
前記記憶部は前記選択された元画像に前記入力されたタイトル文字を対応づけて記憶する請求項３に記載の電子フォトアルバム。
【請求項５】
前記記憶部は元画像と音声データとを対応づけて記憶し、
前記第１アルバム部又は前記第２アルバム部にはスピーカが設けられており、
前記選択された元画像に対応する音声データに基づいて前記スピーカから音声を再生する音声再生部をさらに備える請求項２又は３に記載の電子フォトアルバム。
【請求項６】
前記スピーカは、前記第１アルバム部において前記第１表示装置の表示面と同一面に設けられた第１スピーカと、前記第２アルバム部において前記第２表示装置の表示面と同一面に設けられた第２スピーカとを有する２チャンネルステレオ再生用スピーカである請求項５に記載の電子フォトアルバム。
【請求項７】
前記音声再生部は前記開いたことの検出に応じて前記音声データから音声を再生する請求項５又は６に記載の電子フォトアルバム。
【請求項８】
前記選択された元画像のタイトルとなる音声の入力を受け付けるマイクと、
前記マイクに入力された音声を音声データに変換して出力する音声変換部と、
をさらに備え、
前記記憶部は前記選択された画像に前記音声変換部の出力した音声データを対応づけて記憶し、
前記音声再生部は前記選択された画像の表示に同期させて前記音声データから音声を再生する請求項５又は６に記載の電子フォトアルバム。
【請求項９】
前記選択された元画像に所定の画像加工処理を行う画像加工処理部をさらに備え、
前記表示制御部は前記選択された元画像及び前記画像加工処理された画像をそれぞれ前記第１表示装置又は前記第２表示装置のいずれかに振り分けて表示させる請求項３に記載の電子フォトアルバム。
【請求項１０】
前記画像選択部は前記第２表示装置に積層されており物体の接触及び前記接触の位置の検出を行うタッチパネルを含み、前記タッチパネルが前記サムネイル画像の表示位置で接触を検出することで前記サムネイル画像の選択を受け付ける請求項２〜９のいずれかに記載の電子フォトアルバム。
【請求項１１】
画像を表示する電子フォトアルバムであって、
画像を表示する第１表示装置を配置した略板状の第１アルバム部と、
画像を表示する第２表示装置を配置した略板状の第２アルバム部と、
前記第１アルバム部の一端と前記第２アルバム部の一端とを回動自在に連結し前記第１表示装置及び前記第２表示装置を見開き型に配列させる連結部と、
第１元画像と前記第１元画像を縮小した第１サムネイル画像を記憶する記憶部と、
前記第１サムネイル画像を前記第２表示装置に表示させる表示制御部と、
外部記憶媒体に記憶されている第２元画像を読み取る読取部と、
を備え、
前記表示制御部は前記第１サムネイル画像を前記第１表示装置に表示させ、前記第２元画像を縮小した第２サムネイル画像を前記第２表示装置に表示させる電子フォトアルバム。
【請求項１２】
前記外部記憶媒体の挿入を検出する挿入検出部をさらに備え、
前記表示制御部は前記挿入の検出に応じて前記第１サムネイル画像の表示を前記第２表示装置から前記第１表示装置に切り替えるとともに前記第２サムネイル画像を前記第２表示装置に表示させる請求項１０に記載の電子フォトアルバム。
【請求項１３】
前記第１サムネイル画像又は第２サムネイル画像の選択により対応する第１元画像又は第２元画像の選択を受け付ける画像選択部をさらに備える請求項１１に記載の電子フォトアルバム。
【請求項１４】
前記表示制御部は前記選択された第２元画像を前記第１表示装置に表示させる請求項１２に記載の電子フォトアルバム。
【請求項１５】
前記選択された第２元画像を前記外部記憶媒体から前記記憶部に複製する複製制御部をさらに備え、
前記表示制御部は前記複製された第２元画像に対応する第２サムネイル画像である複製済サムネイルを第１サムネイル画像として前記第１表示装置に表示させる請求項１２に記載の電子フォトアルバム。
【請求項１６】
前記表示制御部は前記複製済サムネイル画像の前記第１表示装置における表示開始と前記複製済サムネイル画像の前記第２表示装置における表示終了とを前記複製の完了に応じて連動させる請求項１５に記載の電子フォトアルバム。
【発明の詳細な説明】
【技術分野】
【０００１】
本発明は、携帯型の電子フォトアルバムに関する。
【背景技術】
【０００２】
従来、携帯型の電子フォトアルバムが開発されている。例えば特許文献１の電子アルバムは、画像を表示させる第１表示部を有する表紙部と、画像を表示させる第２表示部を有する裏表紙部と、第１表示部と第２表示部を見開き状態にして表紙部と裏表紙部を回動自在に連結する連結部を備えている。裏表紙部にはリング状のジョグダイアルが設けられ、ジョグダイアルの右回転・左回転に応じて次頁又は前頁の画像を表示する。
【特許文献１】特開２００１−１００８６４号公報
【発明の開示】
【発明が解決しようとする課題】
【０００３】
ところで、特許文献１の技術では、ジョグダイアルの回転でページ送りをするのであるが、ジョグダイアルの回転という細かい操作をユーザに要求するため、銀塩写真を綴じた通常のフォトアルバムと比べてページ送りの操作性が十分でない。本発明はこのような問題点に鑑みてなされたもので、通常のフォトアルバムと同様の利便性を確保できる電子フォトアルバムを提供することを目的とする。
【課題を解決するための手段】
【０００４】
請求項１に係る発明は、画像を表示する電子フォトアルバムであって、略板状の第１アルバム部と、画像を表示する第２表示装置を配置した略板状の第２アルバム部と、前記第１アルバム部の一端と前記第２アルバム部の一端とを回動自在に連結し見開き型に配列させる連結部と、前記第１アルバム部及び第２アルバム部が開いたこと又は閉じたことを検出する開閉検出部と、前記第１アルバム部の他端に設けられ物体の接触を検出する第１接触センサと、前記第２アルバム部の他端に設けられ物体の接触を検出する第２接触センサと、元画像と前記元画像を縮小したサムネイル画像と一意的な表示順序とを対応づけて記憶する記憶部と、前記サムネイル画像を前記第２表示装置に表示させる表示制御部と、を備え、前記表示制御部は前記第１接触センサ又は前記第２接触センサの接触検出と前記閉じたことの検出後に前記開いたことが検出されたことに応じ、現在第２表示装置に表示されているサムネイル画像より前の表示順序の付与されたサムネイル画像又は後の表示順序の付与されたサムネイル画像を前記第２表示装置に表示させる電子フォトアルバムを提供する。
【０００５】
この発明によると、第１アルバム部と第２アルバム部の開閉操作と第１接触センサ又は第２接触センサの接触操作とを連動させてサムネイル画像を逆送り又は順送りして表示するため、あたかも通常のフォトアルバムを開閉して見る画像を切り替えているかのような印象をユーザに与え、細かい操作をしなくても通常のフォトアルバムのように簡単にサムネイル画像の表示を切り替えることができる。
【０００６】
請求項２に係る発明は、前記第２表示装置に表示されたサムネイル画像の選択により対応する元画像の選択を受け付ける画像選択部をさらに備える請求項１に記載の電子フォトアルバムを提供する。
【０００７】
請求項３に係る発明は、前記第１アルバム部には画像を表示する第１表示装置が配置されており、前記表示制御部は前記選択された元画像を前記第１表示装置に表示させる請求項２に記載の電子フォトアルバムを提供する。
【０００８】
この発明によると、選択されたサムネイル画像に対応する元画像が第１表示装置に表示されるため、好みの画像を指定して拡大表示させることができる。
【０００９】
請求項４に係る発明は、前記選択された元画像のタイトル文字の入力を受け付ける文字入力部をさらに備え、前記表示制御部は前記選択された元画像又は前記選択されたサムネイル画像を前記第１表示部に表示させ、前記タイトル文字の入力を促す画面を前記第２表示部に表示させ、前記記憶部は前記選択された元画像に前記入力されたタイトル文字を対応づけて記憶する請求項３に記載の電子フォトアルバムを提供する。
【００１０】
この発明によると、元画像に文字でタイトルを付与することができる。
【００１１】
請求項５に係る発明は、前記記憶部は元画像と音声データとを対応づけて記憶し、前記第１アルバム部又は前記第２アルバム部にはスピーカが設けられており、前記選択された元画像に対応する音声データに基づいて前記スピーカから音声を再生する音声再生部をさらに備える請求項２又は３に記載の電子フォトアルバムを提供する。
【００１２】
この発明によると、選択された元画像に対応する音声を再生することができる。
【００１３】
請求項６に係る発明は、前記スピーカは、前記第１アルバム部において前記第１表示装置の表示面と同一面に設けられた第１スピーカと、前記第２アルバム部において前記第２表示装置の表示面と同一面に設けられた第２スピーカとを有する２チャンネルステレオ再生用スピーカである請求項５に記載の電子フォトアルバムを提供する。
【００１４】
この発明によると、第１アルバム部と第２アルバム部を開けば、２チャンネルステレオ再生用スピーカがユーザの左右の耳に良好にステレオ再生音声を到達させる位置となる。
【００１５】
請求項７に係る発明は、前記音声再生部は前記開いたことの検出に応じて前記音声データから音声を再生する請求項５又は６に記載の電子フォトアルバムを提供する。
【００１６】
この発明によると、第１アルバム部と第２アルバム部を開くことで、音声をオルゴールのように再生させることができる。
【００１７】
請求項８に係る発明は、前記選択された元画像のタイトルとなる音声の入力を受け付けるマイクと、前記マイクに入力された音声を音声データに変換して出力する音声変換部と、をさらに備え、前記記憶部は前記選択された画像に前記音声変換部の出力した音声データを対応づけて記憶し、前記音声再生部は前記選択された画像の表示に同期させて前記音声データから音声を再生する請求項５又は６に記載の電子フォトアルバムを提供する。
【００１８】
この発明によると、画像に対応する音声（ＢＧＭやナレーションなど）を画像の表示と同期して再生することができる。
【００１９】
請求項９に係る発明は、前記選択された元画像に所定の画像加工処理を行う画像加工処理部をさらに備え、前記表示制御部は前記選択された元画像及び前記画像加工処理された画像をそれぞれ前記第１表示装置又は前記第２表示装置のいずれかに振り分けて表示させる請求項３に記載の電子フォトアルバムを提供する。
【００２０】
この発明によると、何も画像加工を施さない画像と画像加工を施した画像をそれぞれ第１表示装置、第２表示装置に別個に表示することで、双方を対比することができる。画像加工を施した画像を記憶装置や外部記憶媒体に記憶できるようにしてもよい。
【００２１】
請求項１０に係る発明は、前記画像選択部は前記第２表示装置に積層されており物体の接触及び前記接触の位置の検出を行うタッチパネルを含み、前記タッチパネルが前記サムネイル画像の表示位置で接触を検出することで前記サムネイル画像の選択を受け付ける請求項２〜９のいずれかに記載の電子フォトアルバムを提供する。
【００２２】
この発明によると、タッチパネルで所望のサムネイル画像を選択できる。
【００２３】
請求項１１に係る発明は、画像を表示する電子フォトアルバムであって、画像を表示する第１表示装置を配置した略板状の第１アルバム部と、画像を表示する第２表示装置を配置した略板状の第２アルバム部と、前記第１アルバム部の一端と前記第２アルバム部の一端とを回動自在に連結し前記第１表示装置及び前記第２表示装置を見開き型に配列させる連結部と、第１元画像と前記第１元画像を縮小した第１サムネイル画像を記憶する記憶部と、前記第１サムネイル画像を前記第２表示装置に表示させる表示制御部と、外部記憶媒体に記憶されている第２元画像を読み取る読取部と、を備え、前記表示制御部は前記第１サムネイル画像を前記第１表示装置に表示させ、前記第２元画像を縮小した第２サムネイル画像を前記第２表示装置に表示させる電子フォトアルバムを提供する。
【００２４】
この発明によると、電子フォトアルバムに記憶されている画像と外部記憶媒体の画像とをそれぞれ見開き型の第１表示装置、第２表示装置に表示することで、通常のフォトアルバムの左右ページのように両者を容易に対比することができる。
【００２５】
請求項１２に係る発明は、前記外部記憶媒体の挿入を検出する挿入検出部をさらに備え、前記表示制御部は前記挿入の検出に応じて前記第１サムネイル画像の表示を前記第２表示装置から前記第１表示装置に切り替えるとともに前記第２サムネイル画像を前記第２表示装置に表示させる請求項１０に記載の電子フォトアルバムを提供する。
【００２６】
この発明によると、上記の外部記憶媒体の画像及び電子フォトアルバムに記憶されている画像の表示が外部記憶媒体の挿入により自動的に開始するため便利である。
【００２７】
請求項１３に係る発明は、前記第１サムネイル画像又は第２サムネイル画像の選択により対応する第１元画像又は第２元画像の選択を受け付ける画像選択部をさらに備える請求項１１に記載の電子フォトアルバムを提供する。
【００２８】
請求項１４に係る発明は、前記表示制御部は前記選択された第２元画像を前記第１表示装置に表示させる請求項１２に記載の電子フォトアルバムを提供する。
【００２９】
この発明によると、選択したサムネイル画像に対応する元画像を第１表示装置に表示させることで元画像の詳細を確認できる。
【００３０】
請求項１５に係る発明は、前記選択された第２元画像を前記外部記憶媒体から前記記憶部に複製する複製制御部をさらに備え、前記表示制御部は前記複製された第２元画像に対応する第２サムネイル画像である複製済サムネイルを第１サムネイル画像として前記第１表示装置に表示させる請求項１２に記載の電子フォトアルバムを提供する。
【００３１】
この発明によると、サムネイル画像の選択により複製する画像を容易に選ぶことができる。また、選択した画像が複製されたことを第１表示装置に表示された複製済サムネイルで確認できる。
【００３２】
請求項１６に係る発明は、前記表示制御部は前記複製済サムネイル画像の前記第１表示装置における表示開始と前記複製済サムネイル画像の前記第２表示装置における表示終了とを前記複製の完了に応じて連動させる請求項１５に記載の電子フォトアルバムを提供する。
【００３３】
この発明によると、複製された画像のサムネイル画像が複製完了と連動して第１表示装置に表示されるため、選択した画像が間違いなく複製されたことを複製後直ちに確認できる。
【発明の効果】
【００３４】
この発明によると、第１アルバム部と第２アルバム部の開閉操作と第１接触センサ又は第２接触センサの接触操作とを連動させてサムネイル画像を逆送り又は順送りして表示するため、あたかも通常のフォトアルバムを開閉して見る画像を切り替えているかのような印象をユーザに与え、細かい操作をしなくても通常のフォトアルバムのように簡単にサムネイル画像の表示を切り替えることができる。
【００３５】
また、この発明によると、電子フォトアルバムに記憶されている画像と外部記憶媒体の画像とをそれぞれ見開き型の第１表示装置、第２表示装置に表示することで、通常のフォトアルバムの左右ページのように両者を容易に対比することができる。
【発明を実施するための最良の形態】
【００３６】
以下、添付した図面を参照し本発明の好ましい実施の形態を説明する。
【００３７】
［概略構成］
図１は本発明の好ましい実施形態に係る見開き型の電子フォトアルバム１００を正面から見た状態を示す。この図に示すように、電子フォトアルバム１００（以下単にアルバム１００と称する）は、それぞれ外枠がプラスチック製の部材などで構成された略板状の第１アルバム部１及び第２アルバム部２で構成され、第１アルバム部１の一端１ａと第２アルバム部２の一端２ａとが蝶番機構３で回動自在に連結されている。第１アルバム部１、第２アルバム部２の一面にはそれぞれ第１表示装置１１・第２表示装置１２が配置されており、蝶番機構３を回動させることで第１表示装置１１と第２表示装置１２を見開き型に配列させる（以下この動作を単に「アルバム１００を開く」と表現する）ことができる。あるいは、蝶番機構３を回動させることで第１表示装置１１と第２表示装置１２の表示面同士が対向するように第１アルバム部１と第２アルバム部２を閉じる（以下この動作を単に「アルバム１００を閉じる」と表現する）こともできる。第１表示装置１１及び第２表示装置１２は記憶型液晶（コレステリック液晶）で構成されることが好ましい。
【００３８】
第１アルバム部１の一端１ａ側には、アルバム１００が閉じたこと又は開いたことを、第２アルバム部２の一端２ａ側による押しボタン２５ａの押下又は押下の解除で検出する開閉検出スイッチ２５が設けられている。第２表示装置１２には透明なタッチパネル２１が積層されている。第１アルバム部１の他端１ａには逆送りタッチセンサ１３が設けられ、第２アルバム部２の他端２ｂには順送りタッチセンサ１４が設けられている。第１アルバム部１には、第１表示装置１１の表示面と同一面で他端１ｂ寄りの側面１ｃに配置された２チャンネルステレオ左側音声再生用のＬｃｈスピーカ１５Ｌが設けられている。第２アルバム部２には、第２表示装置１２の表示面と同一面で他端２ｂ寄りの側面２ｃに配置された２チャンネルステレオ右側音声再生用のＲｃｈスピーカ１５Ｒが設けられている。このため、アルバム１００を開くと、Ｒｃｈスピーカ１５Ｒ及びＬｃｈスピーカ１５Ｌは、音声がユーザの左右の耳に良好に到達するような位置となる。さらに側面２ｃにはマイク２７と操作ボタン部１６が設けられている。操作ボタン部１６は、選択ボタン１７と、ページ送りボタン１８と、電源ボタン１９と、音量ボタン２０とを含んでいる。マイク２７や操作ボタン部１６は側面１ｃに設けてもよい。
【００３９】
第２アルバム部２の他端２ｂには、メモリカードなどの外部記憶媒体４０を挿入するためのメディアスロット２２とＵＳＢコネクタやＬＡＮカードなどで構成された通信インターフェース２３が設けられている。メディアスロット２２の内部には記憶媒体４０の挿入又は抜き取りを検出する挿抜検出部２４が設けられている。
【００４０】
［機能構成］
図２はアルバム１００の機能ブロック図である。アルバム１００は、ＭＣＵ（Microcontroller Unit、所謂ワンチップマイコン）などで構成され各種演算及び演算に必要なデータの一時記憶を行なう制御部７と、音声コントローラ３１と、表示コントローラ３２と、Ｒ／Ｗ制御部３３と、通信インターフェース２３を介して通信を行う通信部３５と、内蔵バッテリーや家庭用電源などによりアルバム１００の各所に電力を供給する電力供給部２６と、半導体記憶装置やハードディスクユニットなどで構成された大容量の記憶装置３６と、ＲＡＭ８に記憶された画像に所定の画像加工処理を実行する画像処理部３７とを備える。制御部７、通信部３５、記憶装置３６、Ｒ／Ｗ制御部３３、音声コントローラ３１、表示コントローラ３２、電力供給部２６及び画像処理部３７はバス３４で接続されている。電力供給部２６は待機状態即ちアルバム１００が使用されていない場合でも制御部７及び開閉検出スイッチ２５に電力を供給することができる。その他の各所への電力供給は制御部７の指示に応じて開始・終了する。各所への電力供給が行われている状態即ちアルバム１００が使用されている状態を動作状態という。
【００４１】
制御部７は、逆送りタッチセンサ１３、順送りタッチセンサ１４、選択ボタン１７、ページ送りボタン１８、電源ボタン１９、音量ボタン２０、タッチパネル２１、挿抜検出部２４、開閉検出スイッチ２５と接続されており、各部からの信号を入力する。開閉検出スイッチ２５の押しボタン２５ａは、アルバム１００を閉じたときに押下されるように配置されている。そして、押しボタン２５ａが押下された場合はアルバム１００が閉じられたことを示す信号を、押下が解除された場合はアルバム１００が開かれたことを示す信号をそれぞれ制御部７に出力する。
【００４２】
逆送りタッチセンサ１３及び順送りタッチセンサ１４は、それぞれユーザの指などの物体の接触があったことを検出して検出信号を制御部７に出力する。電源ボタン１９は、電力供給部２６に電力供給のオン・オフを指示するスイッチであり、電源オン・オフを示す信号を制御部７に入力する。選択ボタン１７は、記憶媒体４０から読み込んだ画像の選択など各種の選択を行うスイッチであり、特に用途は限定されない。ページ送りボタン１８は順送りスイッチ１８ａと逆送りスイッチ１８ｂとを有している。制御部７は、後述のようにスイッチ１８ａの押下に応じて現在第２表示装置１２に表示されている画像を現在表示されている画像の次の表示順序の付与された画像を繰り上げて表示するよう表示コントローラ３２に指示する（順送り）。あるいは、スイッチ１８ｂの押下に応じて現在表示されている画像より前の表示順序の付与された画像を繰り下げて表示するよう表示コントローラ３２に指示する（逆送り）。音量ボタン２０はスピーカから再生される音声の音量を調節するボタンであり、音声コントローラ３１は音量ボタン２０の操作に応じて再生音量を上下させる。挿抜検出部２４は記憶媒体４０が挿入口１０に挿入されたことまたは挿入口１０から取り出されたことを検出する。挿抜検出部２４はＲ／Ｗ制御部３３に設けてもよい。
【００４３】
タッチパネル２１はそれぞれ縦横方向の各々に沿ってマトリクス状に所定の抵抗値を有しており、ユーザの指などの物体が接触すると上記の抵抗値が変化し、このときの電流値の変化を検出することで物体の接触位置を検出することができ、特に第２表示装置１２に表示された画像の表示位置に物体を接触させることでその画像を選択することができる。説明の簡略のため、以下の記述ではタッチパネル２１で第２表示装置１２の表示画像を選択するものとするが、第２表示装置１２の表示画像の選択手段をタッチパネル２１に限定する趣旨ではなく、選択ボタン１７などで選択させる態様も可能である。
【００４４】
制御部７はタッチパネル２１の検出した接触位置に応じて各種処理を開始させることができる。操作ボタン部１６に含まれる各ボタンに相当するボタンを第２表示部１２に表示し、それらのボタンの押下をタッチパネル２１で検出し、検出結果に応じて操作ボタン部１６の押下に相当する処理を行ってもよい。
【００４５】
Ｒ／Ｗ制御部３３は、メディアスロット２２に挿入された記憶媒体４０に記憶される画像や音声などの各種データを読み出し、また各種データを記憶媒体に書き込む。画像データ・音声データは通信部３５から受信してもよく、以下の記述において記憶媒体４０に記憶される画像・音声データを通信部３５が受信した画像・音声データと置き換えてもアルバム１００の動作内容は同様である。後述のように、記憶装置３６に記憶される各画像には一意的な表示順序が制御部７により付与される。
【００４６】
表示コントローラ３２は、逆送りタッチセンサ１３又は順送りタッチセンサ１４への接触操作とアルバム１００の開閉に伴う開閉検出スイッチ２５の開閉検出に基づき、第２表示装置１２に表示された画像を表示順序に従って順送り又は逆送りして表示させる。要約すると、アルバム１００を一旦閉じた後順送りタッチセンサ１４への接触操作を行いつつ再びアルバム１００を開くと、現在表示されている画像よりも後の表示順序が付与された画像を第２表示装置１２に表示する（順送り）。一方、アルバム１００を一旦閉じた後逆送りタッチセンサ１３への接触操作を行いつつ再びアルバム１００を開くと、現在表示されている画像よりも前の表示順序が付与された画像を第２表示装置１２に表示する（逆送り）。このように、逆送りタッチセンサ１３又は順送りタッチセンサ１４への接触操作とアルバム１００の開閉で、第２表示装置１２に表示される画像を通常の写真アルバムと同様に進めたり戻したりできる。
【００４７】
音声コントローラ３１は、音声データを左右のアナログオーディオ信号（２チャンネルステレオ信号）へ変換し、左右の信号をそれぞれＬｃｈスピーカ１５Ｌ、Ｒｃｈスピーカ１５Ｒに出力し、Ｌｃｈスピーカ１５Ｌ、Ｒｃｈスピーカ１５Ｒはこの信号に従って音声を出力する。Ｌｃｈスピーカ１５ＬとＲｃｈスピーカ１５Ｒをまとめてスピーカ１５で表す。音声コントローラ３１はノイズとなる高い周波数成分をアナログオーディオ信号から除去する処理やアナログオーディオ信号を増幅する処理を行なってもよい。無論、音声コントローラ３１は、２チャンネルステレオ以外の形態（ドルビーデジタル5.1チャンネルなど）に対応させてもよい。
【００４８】
なお、音声再生は、制御部７に設定されたいずれかの音声再生モードに応じて開始される。本実施形態では一例として３つの音声再生モードが用意されている。即ち、アルバム１００が開いたことを開閉検出スイッチ２５が検出した場合に所定の音声の再生を開始するオープン時再生モード、第１表示装置１１に表示された画像に対応した音声を画像表示と同期して再生する同期再生モードが用意されている。ユーザは、各モードを設定して音声を楽しむことができる。マイク２７からは、記憶媒体４０から読み込んだ画像に対応づけるタイトルやナレーションなどを音声入力できる。音声コントローラ３１は、マイク２７から入力されたアナログ音声信号をデジタル音声データに変換してＲＡＭ８に出力する。記憶装置３６は大容量のハードディスクユニットなどで構成され、記憶媒体４０から読み込まれた画像・音声データや通信部３５の受信した画像・音声データを記憶する。
【００４９】
［処理の流れ］
（メイン処理）
次に、アルバム１００で実行する処理を図３〜図９のフローチャートに従って説明する。アルバム１００は図３のメイン処理を実行し、メイン処理では、音声再生処理、画像記憶処理、画像表示処理、画像送り処理、タイトル付与処理がサブルーチンとして実行される。まず、図３のフローチャートに従ってメイン処理の流れを説明する。メイン処理は待機状態時に開始する。
【００５０】
Ｓ１では、待機状態を解除する所定の復帰条件が充足されたか否かを判断する。復帰条件は各種の家電機器の省電力モードから動作状態への復帰と同様である。例えば、逆送りタッチセンサ１３、順送りタッチセンサ１４、操作ボタン部１６、タッチパネル２１、挿抜検出部２４、開閉検出スイッチ２５のいずれかから信号が制御部７に出力されたことを復帰条件とすることができる。所定の復帰条件が充足された場合はＳ１１に移行し、充足されない場合は引き続き待機状態を維持する。ただし、Ｓ１が繰り返されている間も制御部７と開閉検出スイッチ２５には電力が供給され続ける。なおＳ１では、電源ボタン１９が押下されたか否かを判断し、押下された場合はＳ２へ移行し、押下されない場合は引き続き待機状態を維持してもよい。Ｓ２では、電力供給部２６が各所への電力供給を開始する。即ち動作状態に移行する。Ｓ３では音声再生処理を実行する。
【００５１】
Ｓ４では、挿抜検出部２４により記憶媒体４０がメディアスロット２２に挿入されたことが検出されたか否かを判断する。挿入が検出された場合はＳ５に移行し、検出されない場合はＳ６に移行する。Ｓ５では、画像記憶処理を実行してＳ８に移行する。Ｓ６では画像表示処理を実行してＳ７に移行し、Ｓ７では画像送り処理を実行してＳ８に移行する。これらのサブルーチン処理の詳細は後述する。
【００５２】
Ｓ８では、選択ボタン１７あるいはタッチパネル２１の操作でタイトル付与モードが選択されたか否かを判断する。タイトル付与モードが選択された場合はＳ９に移行してタイトル付与処理を実行してＳ１０に移行する。タイトル付与モードが選択されない場合はＳ１０に移行する。タイトル付与処理の詳細は後述する。
【００５３】
Ｓ１０では、所定の待機状態移行条件が充足されたか否かを判断する。待機状態移行条件は各種の家電機器の省電力モード移行動作などと同様である。例えば、所定時間の間（１０分間など）逆送りタッチセンサ１３、順送りタッチセンサ１４、操作ボタン部１６、タッチパネル２１、挿抜検出部２４、開閉検出スイッチ２５から信号が制御部７に全く出力されなかったことを待機状態移行条件とすることができる。あるいは、アルバム１００が所定時間（例えば３０秒間）継続して閉じていることを開閉検出スイッチ２５が検出したことを待機状態移行条件とすることもできる。所定の待機状態移行条件が充足された場合はＳ１１に移行し、充足されない場合はＳ３に戻る。Ｓ１１では、電力供給部２６は制御部７と開閉検出スイッチ２５以外の各部への電力供給を停止して待機状態に移行し、Ｓ１に戻る。
【００５４】
（音声再生処理）
次に、図４のフローチャートに基づき、音声再生処理の流れを説明する。この処理は、アルバム１００を開く動作と音声再生の開始を連動させる。以下の説明においてオープン時再生モードとはアルバム１００を開いたときにユーザが任意に設定した音声を再生するモードである。オープン時再生モードのオン／オフを設定させる設定処理はメイン処理とは独立別個に実行することができる。設定処理ではタッチパネル２１や選択ボタン１７などの操作でオープン時再生モードのオン／オフの設定と再生する音声データを指定できるものとするが、音声再生処理の主たる目的はアルバム１００の使用開始と音声再生の連動であるので、設定処理の詳細は省略する。
【００５５】
Ｓ１２では、開閉検出スイッチ２５によりアルバム１００が開いたことが検出されたか否かを判断する。アルバム１００が開いたことが検出された場合はＳ１３へ移行し、検出されない場合はＳ１７へ移行する。
【００５６】
Ｓ１３では、オープン時再生モードがオンに設定されているか否かを判断する。オープン時再生モードがオンに設定されている場合はＳ１４に移行し、設定されていない場合はＳ１７に移行する。Ｓ１４では、再生する音声データが指定されているか否かを判断する。指定されている場合はＳ１５に移行し、指定されていない場合はＳ１６に移行する。Ｓ１５では、音声コントローラ３１の制御により、指定された音声データをスピーカ１５で再生させる。Ｓ１６では、音声コントローラ３１の制御により、デフォルトの音声データをスピーカ１５で再生させる。どの音声データをデフォルトの音声データとするかも再生モード設定処理でユーザが自由に設定できるものとする。
【００５７】
Ｓ１７では、開閉検出スイッチ２５によりアルバム１００が閉じたことが検出されたか否かを判断する。アルバムが閉じたことが検出された場合はＳ１８へ移行し、検出されない場合はメイン処理に戻る。Ｓ１８では、音声再生を終了してメイン処理に戻る。なお、操作ボタン部１６からの所定操作で音声再生を終了してもよい。
【００５８】
以上の処理により、音声の再生開始及び終了をアルバム１００の開閉で行うことができ、オルゴールのように音声を楽しむことができる。
【００５９】
（画像記憶処理）
次に、図５のフローチャートに従って制御部７の実行する画像記憶処理の流れを説明する。Ｓ２１では、メディアスロット２２に挿入された記憶媒体４０に記憶された画像（本処理の説明において第２元画像という）を読み込んでＲＡＭ８に記憶する。Ｓ２２では、表示コントローラ３２の制御により既に記憶装置３６に記憶されている画像（本処理の説明において第１元画像という）を縮小したサムネイル画像（以下第１サムネイル画像という）を対応する表示順序（後述のステップＳ２６で付与）に従って第１表示装置１１に表示させるとともに、ＲＡＭ８に記憶した第２元画像を縮小したサムネイル画像（以下第２サムネイル画像という）を第２表示装置１２に表示させる。例えば、記憶装置３６には第１元画像Ｉ１、Ｉ２、Ｉ３・・が記憶されており、ＲＡＭ８には第２元画像Ｉ１’、Ｉ２’、Ｉ３’・・が記憶されているとすると、図１０に示すように、第１表示装置１１には第１元画像Ｉ１、Ｉ２、Ｉ３・・を縮小したサムネイル画像である第１サムネイル画像ｉ１、ｉ２、ｉ３・・が、第２表示装置１２には第２元画像Ｉ１’、Ｉ２’、Ｉ３’・・のサムネイル画像である第２サムネイル画像ｉ１’、ｉ２’、ｉ３’・・がそれぞれ表示される。各画像のサムネイル画像は、Ｅｘｉｆファイルなどのヘッダ部分に記憶されている場合もあるが、そうでない場合は画像処理部３７で各画像を所定の縮小率で縮小してサムネイル画像を作成することもできる。
【００６０】
なお、記憶装置３６に画像が全く記憶されていない場合は、第１表示装置１１には何も表示されない。また、後述するステップＳ６の画像表示処理が実行された後、ステップＳ１０の“Ｎ”及びＳ４の“Ｙ”を介して再びＳ２２を実行する際、既に第２表示装置１２に第１サムネイル画像が表示されている場合、第１サムネイル画像の表示を第２表示装置１２から第１表示装置１１に切り替え、第２表示装置１２には第２サムネイル画像を表示する。
【００６１】
また、第２表示装置１２に表示される第２サムネイル画像の数が画面の解像度などの制約で一定数に制限される場合、各画像に対応する何らかの順序（例えば画像ファイル名のＡＢＣ順など）に従って制限数だけ第２表示装置１２に配列して表示させる。同様に、第１表示装置１１に表示される第１サムネイル画像の数が一定数に制限される場合、対応する表示順序に基づいて画像をソートし、ソートした画像を順に制限数だけ第１表示装置１１に配列して表示させる。この際、表示する第１サムネイル画像あるいは第２サムネイル画像を、選択ボタン１７や逆送りタッチセンサ１３又は順送りタッチセンサ１４で順送り又は逆送りして切り替えることもできる。
【００６２】
Ｓ２３では、タッチパネル２１で第２表示装置１２に表示された第２サムネイル画像の選択を受け付ける。そして、第２サムネイル画像が選択されたか否かを判断し、選択された場合はＳ２４へ移行し、選択されない場合はＳ２８へ移行する。なお、選択された第２サムネイル画像を示すため、選択された第２サムネイル画像には所定の選択効果表示が行われる。例えば、図１１では、第２サムネイル画像ｉ１’が選択されており、選択効果表示としてフレーム画像Ｆが選択された画像を囲うように表示されている。選択効果表示はフレーム画像以外のものであってもよく、選択された第２サムネイル画像を点滅させるなどでもよい。
【００６３】
Ｓ２４では、選択された第２サムネイル画像に対応する第２元画像を第１表示装置１１にフルサイズ表示する。図１１は選択された第２サムネイル画像に対応する第２元画像のフルサイズ表示の様子を示す。Ｓ２５では、タッチパネル２１により、第２表示装置１２に表示されたコピーボタンＢ１の表示位置で指などの接触が検出されたか否かを判断する。コピーボタンＢ１の表示位置で接触が検出された場合はＳ２６へ移行し、接触が検出されなかった場合はＳ２８へ移行する。なお、図１１には示していないが、第２サムネイル画像は複数選択できるようにしてもよく、複数選択された場合は対応する全ての第２元画像が第１表示装置１１に表示されるよう適当な縮小率で縮小してもよい。
【００６４】
Ｓ２６では、選択された第２サムネイル画像に対応する第２元画像に一意的な表示順序を付与し、この第２元画像と表示順序を対応させて記憶装置３６に複製記憶する。図１２は表示順序と画像とが対応して記憶されている状態を概念的に示した図である。図１２（ａ）に示すように、各画像には一意的な表示順序が対応している。各画像とその画像のサムネイル画像とは一対一に対応しているから、各画像に一意的な表示順序を付与すればサムネイル画像に一意的な表示順序を付与したものと同視できる。表示順序の定め方は一意的であれば何でもよく、機械的に連番を昇順に付与してもよいし、画像ファイル名のＡＢＣ順など各画像の属性から定めてもよい。なお、図１２（ｂ）に示すように、後述するＢＧＭデータやタイトルデータをさらに画像データに対応させて記憶装置３６に記憶してもよい。音声データであるＢＧＭデータは後述の音声再生処理で、音声データ又はテキストデータであるタイトルデータは後述の画像表示処理で使用される。音声データであるＢＧＭデータ又はタイトルデータは通信インターフェース２３や記録媒体４０を介してアルバム１００に入力でき、画像データとＢＧＭデータあるいはタイトルデータとの対応は選択ボタン１７やタッチパネル２１の操作で指定できる。
【００６５】
Ｓ２７では、第１サムネイル画像を記憶装置３６の表示順序に従って配列して第１表示装置１１に表示するとともに、選択された第２サムネイル画像を第２表示装置１２から消去する。なお、上述のように第１表示装置１１に表示されるサムネイル画像の数が一定数に制限される場合、新たに記憶装置３６に複製記憶された画像のサムネイル画像のみを、表示順序に従って第１表示装置１１に配列して表示させるようにしてもよい。また、上述のように第２表示装置１２に表示されるサムネイル画像の数に制限がある場合、消去したサムネイル画像の以降の順序が付与されたサムネイル画像を繰り上げて第２表示装置１２に表示する。このように第１表示装置１１と第２表示装置１２のサムネイル画像の表示更新を連動させることで、どの画像をコピーしたかが分からなくなるというおそれが減る。
【００６６】
Ｓ２８では、第２表示装置１２に表示された終了ボタンＢ２の表示位置で指などの接触が検出されたか否かを判断する。終了ボタンＢ２の表示位置で接触が検出された場合は画像記憶処理を終了してメイン処理に戻り、接触が検出されない場合はＳ２３へ戻る。なお、記憶媒体４０がメディアスロット２２から抜き取られたことを挿抜検出部２４が検出した場合も画像記憶処理を終了してメイン処理に戻ってもよい。
【００６７】
以上の処理により、記憶媒体４０の挿入時には記憶媒体４０からアルバム１００にコピーすべき画像がサムネイル画像で第２表示装置１２に配列表示されるとともに、既に記憶装置３６に記憶されている画像のサムネイル画像も第１表示装置１１に配列表示される。従って、記憶媒体４０からコピーする画像と既にアルバム１００に記憶されている画像とを対比した上、コピーする画像をサムネイル画像の選択により容易に選ぶことができる。また、コピーされた画像のサムネイル画像が第１表示装置１１に表示されるため、選択した画像が間違いなくコピーされたことをコピー後直ちに目視確認できる。なお、この処理は記憶媒体４０の挿入によって開始するため、特段の処理開始指示操作は必要なく便利である。
【００６８】
（画像表示処理）
次に、図６のフローチャートに基づき画像表示処理の流れを説明する。以下の処理において「同期再生モード」とは、指定された音声データを画像の表示と同期再生させるモードであり、同期再生モードを設定するか否かと、同期再生モードで再生させる音声データの選択はメイン処理とは独立別個の処理で行えるが、詳細は省略する。
【００６９】
Ｓ３１では、記憶装置３６に記憶されている元画像について、対応する表示順序に従ってサムネイル画像を配列して第２表示装置１２に表示する。例えば、図１２（ａ）に示すように、元画像Ｉ１、Ｉ２、Ｉ３・・（ファイル名はそれぞれI1.jpg、I2.jpg I3.jpg・・）にそれぞれ表示順序１、２、３・・が付与されている場合、図１３に示すように、元画像Ｉ１、Ｉ２、Ｉ３に・・対応するサムネイル画像ｉ１、ｉ２、ｉ３・・が昇順に第２表示部１２の左から右に向かって１行ずつ配列される。
【００７０】
Ｓ３２では、サムネイル画像の表示位置に指などを接触させることでタッチパネル２１がサムネイル画像の選択を検出する。サムネイル画像の選択が検出された場合はＳ３３に移行し、選択が検出されない場合はメイン処理に戻る。
【００７１】
Ｓ３３では、選択されたサムネイル画像に対応する画像を第１表示装置１１にフルサイズ表示する。例えば、図１３に示すように、サムネイル画像ｉ１が選択された場合、サムネイル画像ｉ１に対応する画像Ｉ１が第１表示装置１１にフルサイズ表示される。選択されたサムネイル画像には上述と同様の選択効果表示が行われる。なお、後述のタイトル付与処理において、選択されたサムネイル画像に対応するテキスト形式のタイトルデータが記憶装置３６に記憶されている場合、そのタイトルデータで示される文字タイトルを画像とともに第１表示装置１１に表示する。
【００７２】
Ｓ３４では、同期再生モードが設定されているか否かを判断する。同期再生モードが設定されている場合はＳ３５に移行し、設定されていない場合はＳ３６に移行する。Ｓ３５では、記憶装置３６を参照し、Ｓ３２で選択された画像に対応する音声データが記憶されているか否かを判断する。記憶されている場合はＳ３７に移行し、記憶されていない場合はメイン処理に戻る。なお、画像に対応する音声データは、上述の画像記憶処理のＳ２６で記憶されるＢＧＭデータ、後述のタイトル付与処理のＳ６４で記憶されるタイトルデータのいずれであってもよい。図１２（ｂ）のように画像にタイトルデータとＢＧＭデータの両方が対応している場合は、まずタイトルデータを再生し、この再生終了後にＢＧＭデータを再生するといったように両者の再生順を設定してもよい。
【００７３】
Ｓ３６では、タッチパネル２１は、第２表示部１２に表示された比較表示ボタンＢ３の表示位置で指などの接触が検出されたか否かを判断する。検出された場合はＳ３８に移行し、検出されなかった場合はメイン処理に戻る。
【００７４】
Ｓ３７では、音声コントローラ３１の制御により、Ｓ３２で選択された画像に対応する音声データを該画像の表示と同期させてスピーカ１５から再生して、メイン処理に戻る。なお、上述の音声再生処理で既に音声データが再生されている場合、その再生を停止した後、Ｓ３２で選択された画像に対応する音声データを再生する。あるいは、音声の再生を操作ボタン部１６の操作で停止できるようにしてもよい。Ｓ３８では後述の比較表示処理を行い、メイン処理に戻る。
【００７５】
以上の処理により、第２表示装置１２に表示されたサムネイル画像をタッチパネル２１で選択すると、選択されたサムネイル画像に対応する元画像が第１表示装置１１にフルサイズ表示されるため、好みの画像を指定して拡大表示させることができる。また、同期再生モードを設定しておけば、選択された画像に対応する音声（ＢＧＭやナレーションなど）を画像の表示と同期して再生することもできる。
【００７６】
なお、この画像表示処理は、元画像を動画、サムネイル画像を動画に対応するコマ画像へ置換しても実行しうる。例えば、サムネイル画像が動画の特定シーンを時系列的に捕らえた静止画像である場合、Ｓ３３では、Ｓ３２で選択されたサムネイル画像に対応するシーンから動画の再生表示を第１表示装置１１で行うといった態様も可能である。
【００７７】
（比較表示処理）
次に、図７のフローチャートに基づき比較処理の流れを説明する。この処理は、Ｓ３２で選択されたサムネイル画像に対応する元画像にユーザが選択した画像加工を施して第２表示装置１２に表示させる。
【００７８】
Ｓ４１では、画像処理部３７が実行する画像加工の一覧を第２表示装置１２に表示し、選択ボタン１７やタッチパネル２１から所望の画像加工を選択させる。画像加工は画像処理部３７が実行できるものであれば何でもよく、例えば白黒化、セピア加工、テンプレート合成などである。
【００７９】
Ｓ４２では、画像加工の選択が終了したか否かを判断する。終了した場合はＳ４３に移行し、選択されない場合はメイン処理に戻る。Ｓ４３では、Ｓ３２で選択されたサムネイル画像に対応する元画像にＳ４１で選択された画像加工を施し、画像加工された画像を第２表示装置１２にフルサイズ表示する。図１４は、Ｓ３２で選択されたサムネイル画像に対応する元画像が第１表示装置１１に表示され、かつこの元画像に選択された画像加工が施された画像が第２表示装置１２に表示された状態を示している。
【００８０】
Ｓ４４では、Ｓ３６では、タッチパネル２１は、第２表示部１２に表示された保存ボタンＢ４の表示位置で指などの接触が検出されたか否かを判断する。検出された場合はＳ４５に移行し、検出されなかった場合はメイン処理に戻る。Ｓ４５では、画像加工された画像に一意的な名前と表示順序を付与して記憶装置３６に記憶し、その後メイン処理に戻る。なお、一意的な名前を付与するのは画像加工前の画像と混同させないためである。
【００８１】
以上の処理により、何も画像加工を施さない画像と画像加工を施した画像をそれぞれ第１表示装置１１、第２表示装置１２に表示することで、双方を対比し所望の加工画像が得られたかを確認することができる。そして、所望の加工画像が得られた場合は保存することもできる。
【００８２】
（画像送り処理）
次に、図８のフローチャートに基づき画像送り処理の流れを説明する。この処理では、サムネイル画像の順送り又は逆送りを行う。
【００８３】
Ｓ５１では、アルバム１００が閉じたことを開閉検出スイッチ２５が検出したか否かを判断する。アルバム１００が閉じたことを検出した場合はＳ５２に移行し、検出しなかった場合はメイン処理に戻る。Ｓ５２では、アルバム１００が開かれたことを開閉検出スイッチ２５が検出したか否かを判断する。アルバム１００が開かれたことを検出した場合はＳ５３に移行し、検出しなかった場合はメイン処理に戻る。Ｓ５３では、順送りタッチセンサ１４が指などの接触を検出したか否かを判断する。検出した場合はＳ５４に移行し、検出しない場合はＳ５５に移行する。
【００８４】
Ｓ５４では、Ｓ３１で第２表示装置１２に配列表示されたサムネイル画像について、最も小さい表示順序の付与されているサムネイル画像の表示を消去する。そして、消去したサムネイル画像以降の表示順序が付与されたサムネイル画像を繰り上げて第２表示装置１２に配列表示し、メイン処理に戻る。
【００８５】
Ｓ５５では、Ｓ５３では、逆送りタッチセンサ１３が指などの接触を検出したか否かを判断する。検出した場合はＳ５６に移行し、検出しない場合はメイン処理に戻る。
【００８６】
Ｓ５６では、Ｓ３１で第２表示装置１２に配列表示されたサムネイル画像について、最も大きい表示順序の付与されているサムネイル画像の表示を消去する。そして、消去したサムネイル画像以前の表示順序が付与されたサムネイル画像を繰り下げて第２表示装置１２に配列表示し、メイン処理に戻る。
【００８７】
なお、Ｓ５４又はＳ５５で消去するサムネイル画像の個数は任意である。例えばＳ５６では、最も大きい表示順序の付与されているサムネイル画像から表示順序の降順に計数した所定個数（１つあるいはそれ以上の個数）のサムネイル画像を消去してもよい。また本ステップでは、第１表示装置１１に表示された画像も合わせて消去してもよい。
【００８８】
以上の処理により、アルバム１００の開閉操作と逆送りタッチセンサ１３又は順送りタッチセンサ１４の接触操作とを連動させてサムネイル画像を逆送り又は順送りして表示するため、あたかも通常のフォトアルバムを開閉して見る画像を切り替えているかのような印象をユーザに与え、従来のように細かい操作をしなくても簡単にサムネイル画像の表示を切り替えることができる。
【００８９】
なお、ステップＳ５１及びＳ５２の処理を省略すれば、逆送りタッチセンサ１３又は順送りタッチセンサ１４の接触操作のみでサムネイル画像を逆送り又は順送り表示することも可能である。ステップＳ５１及びＳ５２の処理を省略する動作モードを設定するか否かの指定を選択ボタン１７やタッチパネル２１から入力できるようにしてもよい。
【００９０】
（タイトル付与処理）
次に、図９のフローチャートに従いタイトル付与処理の流れを説明する。
【００９１】
Ｓ６０では、タッチパネル２１で第２表示装置１２に表示されたサムネイル画像の選択を受け付ける。そして、サムネイル画像が選択されたか否かを判断し、選択された場合はＳ６１へ移行し、選択されない場合はメイン処理に戻る。
【００９２】
Ｓ６１では、マイク２７からの音声入力で画像にタイトルを付与する旨の指定が選択ボタン１７やタッチパネル２１から入力されたか否かを判断する。音声入力でタイトルを付与する旨の指定があった場合はＳ６２に移行し、音声入力でタイトルを付与する旨の指定がない場合はＳ６３に移行する。
【００９３】
Ｓ６２では、音声コントローラ３１はマイク２７から入力されたアナログ音声をデジタル音声データに変換してＲＡＭ８に記憶する。Ｓ６４では、ＲＡＭ８の音声データとＳ６０で選択されたサムネイル画像とを対応させて記憶装置３６に記憶する。即ち、選択されたサムネイル画像を介して元画像と音声データとが対応づけられる。
【００９４】
Ｓ６３では、文字入力画面を第２表示装置１２に表示し、タッチパネル２１や選択ボタン１７でタイトルとなる文字の入力を受け付ける。そして、文字が入力されたか否かを判断し、入力された場合はＳ６５へ移行し、入力されない場合はメイン処理に戻る。Ｓ６５では、入力された文字を表すテキストデータとＳ６０で選択されたサムネイル画像とを対応させて記憶装置３６に記憶する。即ち、選択されたサムネイル画像を介して元画像とテキストデータとが対応づけられる。Ｓ６４で記憶された音声データ、Ｓ６５で記憶されたテキストデータをまとめてタイトルデータという。図１２（ｂ）は元画像とタイトルデータとが対応して記憶されている状態を概念的に示している。以上の処理により、各画像に文字又は音声でタイトルを付与することができる。
【図面の簡単な説明】
【００９５】
【図１】本発明の好ましい実施形態に係る電子フォトアルバムの外観図
【図２】電子フォトアルバムの機能構成図
【図３】メイン処理の流れを示すフローチャート
【図４】音声再生処理の流れを示すフローチャート
【図５】画像記憶処理の流れを示すフローチャート
【図６】画像表示処理の流れを示すフローチャート
【図７】比較表示処理の流れを示すフローチャート
【図８】画像送り処理の流れを示すフローチャート
【図９】タイトル付与処理の流れを示すフローチャート
【図１０】第１表示装置及び第２表示装置へのサムネイル画像表示の様子を示す図
【図１１】第１表示装置への第２元画像表示及び第２表示装置への第２サムネイル画像表示の様子を示す図
【図１２】記憶装置の記憶内容を概念的に示した図
【図１３】第１表示装置への第１元画像表示及び第２表示装置への第１サムネイル画像表示の様子を示す図
【図１４】第１表示装置への元画像表示及び第２表示装置への加工画像表示の様子を示す図
【符号の説明】
【００９６】
７：制御部、８：ＲＡＭ、１１：第１表示装置、１２：第２表示装置、１３：逆送りタッチセンサ、１４：順送りタッチセンサ、１５：スピーカ、２１：タッチパネル、２４：挿抜検出部、２５：開閉検出スイッチ、３６：記憶装置、３７：画像処理部、４０：記憶媒体
【図１】
2006018020.tif 000003
【図２】
2006018020.tif 000004
【図３】
2006018020.tif 000005
【図４】
2006018020.tif 000006
【図５】
2006018020.tif 000007
【図６】
2006018020.tif 000008
【図７】
2006018020.tif 000009
【図８】
2006018020.tif 000010
【図９】
2006018020.tif 000011
【図１０】
2006018020.tif 000012
【図１１】
2006018020.tif 000013
【図１２】
2006018020.tif 000014
【図１３】
2006018020.tif 000015
【図１４】
2006018020.tif 000016